(57)【要約】【課題】扉状に開閉可能な扉部材を備える遊技機において、閉鎖中の扉部材と当該遊技機の扉部材と対向する部位との間に差し入れられた不正具をより確実に検出する。【解決手段】扉部材としての盤面窓枠２の回動側端部の裏面側には、薄膜状且つ帯状の透明な導電性フィルム２１が取り付けられている。そして、導電性フィルム２１は、閉鎖中の盤面窓枠２と当該パチンコ機１の盤面窓枠２と対向する部位との間に差し入れられて接触した針金やピアノ線などの導電性を有する物体を検知するための物体センサの検出接点として機能する。なお、本実施形態では、導電性フィルム２１として、ＩＴＯ透明導電性フィルムを用いている。【選択図】図２
2014050580.tif 000002
【特許請求の範囲】
【請求項１】
扉状に開閉可能な扉部材を備える遊技機において、
閉鎖中の前記扉部材と当該遊技機の前記扉部材と対向する部位との間に差し入れられて接触した導電性を有する物体を検知する物体センサを備えること
を特徴とする遊技機。
【請求項２】
請求項１に記載の遊技機において、
前記物体センサは、閉鎖中の前記扉部材と当該遊技機の前記扉部材と対向する部位との間に配置されることを特徴とする遊技機。
【請求項３】
請求項１または請求項２に記載の遊技機において、
前記物体センサは透明であることを特徴とする遊技機。
【請求項４】
請求項１〜請求項３の何れか１項に記載の遊技機において、
前記物体センサは薄膜状であることを特徴とする遊技機。
【請求項５】
請求項１〜請求項４の何れか１項に記載の遊技機において、
前記物体センサは、金属蒸着または金属鍍金を施すことで形成されることを特徴とする遊技機。
【発明の詳細な説明】
【技術分野】
【０００１】
本発明は、パチンコ機等の遊技機の技術分野に属する。
【背景技術】
【０００２】
パチンコ機等の遊技機では、遊技盤と遊技盤の前方に配されたガラス板との間に形成された遊技領域における遊技球の挙動によって遊技が行われる。パチンコ機の場合は遊技領域に配置された入賞口に遊技球が入れば入賞となって賞球が払い出される。
【０００３】
そのため、固定枠と扉枠との間から針金やピアノ線などの不正具を差し入れて入賞口を開放させる不正行為（いわゆるゴト）が行われることがある。
その対策として、例えば特許文献１には、固定枠または扉枠の一方の対向面に、動的荷重を検知可能なケーブル状の圧電センサを固定枠または扉枠の一方の外周に沿うように設ける技術が開示されている。
【先行技術文献】
【特許文献】
【０００４】
【特許文献１】特開２００５−１７６９５４号公報
【発明の概要】
【発明が解決しようとする課題】
【０００５】
しかし、特許文献１の技術では、固定枠と扉枠との間から差し入れられた不正具が圧電センサに当接しても十分な動的荷重を与えるまでには至らず、不正具が圧電センサに検知されないおそれがあった。
【０００６】
本発明は、このような課題に鑑みなされたものであり、その目的とするところは、扉状に開閉可能な扉部材を備える遊技機において、閉鎖中の扉部材と当該遊技機の前記扉部材と対向する部位との間に差し入れられた不正具をより確実に検出する技術を提供することにある。
【課題を解決するための手段】
【０００７】
上記課題を解決するためになされた請求項１に係る遊技機は、扉状に開閉可能な扉部材を備える遊技機において、閉鎖中の前記扉部材と当該遊技機の前記扉部材と対向する部位との間に差し入れられて接触した導電性を有する物体を検知する物体センサを備えることを特徴とする。
【０００８】
このように構成された本発明の遊技機によれば、物体センサが閉鎖中の扉部材と当該遊技機の扉部材と対向する部位との間に差し入れられて接触した導電性を有する物体を検知するので、上述のような物体が検知されるのは十分な動的荷重が付与された場合に限定されず、物体検知の確実性を高めることができる。
【０００９】
請求項２に係る遊技機は、請求項１に記載の遊技機において、前記物体センサは、閉鎖中の前記扉部材と当該遊技機の前記扉部材と対向する部位との間に配置されることを特徴とする。
【００１０】
このように構成された本発明の遊技機によれば、物体センサが閉鎖中の扉部材と当該遊技機の扉部材と対向する部位との間から差し入れられた物体を早い段階（遊技機内部に侵入する前）で検知することができるので好適である。
【００１１】
請求項３に係る遊技機は、請求項１または請求項２に記載の遊技機において、前記物体センサは透明であることを特徴とする。
このように構成された本発明の遊技機によれば、物体センサが目立たず、遊技機の見映えが損なわれない。
【００１２】
請求項４に係る遊技機は、請求項１〜請求項３の何れか１項に記載の遊技機において、前記物体センサは薄膜状であることを特徴とする。
このように構成された本発明の遊技機によれば、物体センサが目立たず、遊技機の見映えが損なわれない。
【００１３】
請求項５に係る遊技機は、請求項１〜請求項４の何れか１項に記載の遊技機において、前記物体センサは、金属蒸着または金属鍍金を施すことで形成されることを特徴とする。
このように構成された本発明の遊技機によれば、物体センサを凹凸のある部分に設置するのに好適である。
【図面の簡単な説明】
【００１４】
【図１】実施形態のパチンコ機の正面図である。
【図２】実施形態のパチンコ機の盤面窓枠の背面図である。
【発明を実施するための形態】
【００１５】
以下に本発明の実施形態を図面とともに説明する。
［１．パチンコ機１の構成の説明］
図１に示すように、遊技機の一種であるパチンコ機１の前面部には、扉部材としての盤面窓枠２が配されている。
【００１６】
盤面窓枠２は、外枠３に保持された中枠（図示省略）に取り付けられている。より具体的には、盤面窓枠２はヒンジ５ａ，５ｂにて中枠に軸支され、扉状に開閉できる。また、盤面窓枠２には、上皿２ａ、下皿２ｂ、発射ハンドル２ｃが取り付けられている。
【００１７】
また、盤面窓枠２には窓７が設けられ、その周辺に電飾８が配されている。また、盤面窓枠２には、窓７を閉塞するためのガラス板７ａが窓７の背後に装着される。そして、盤面窓枠２の背後の窓７に臨んだ位置には、中枠に保持された遊技盤９が配されている。
【００１８】
遊技盤９は、透明な合成樹脂（本実施例ではポリカーボネート）製である。この遊技盤９には、ガイドレール１０、１１、複合入賞装置１２、ゲート１３、大入賞口１４、普通入賞口１５、庇部材１６、ステージ１７等が取り付けられ、遊技釘１８や風車１９が打ち付けられている。
【００１９】
複合入賞装置１２は、可変入賞装置１２ａおよび始動入賞口１２ｂを備え、可変入賞装置１２ａまたは始動入賞口１２ｂに入賞した場合には大当たり抽選が行われ、これに応じて表示装置２１にて図柄の変動表示がなされる。大当たり抽選が当たりであれば、図柄の変動表示に続いて表示装置（図示省略）にて大当たり図柄の確定表示が行われる。その大当たり図柄の確定表示がなされると大当たり遊技の開始となって、大入賞口１４が開放される。
【００２０】
また、可変入賞装置１２ａが閉鎖状態（図示の状態）にあるときには、可変入賞装置１２ａの上方にある始動入賞口１２ｂによって可変入賞装置１２ａへの入賞を阻まれる（可変入賞装置１２ａへは、開放時しか入賞できない）。この可変入賞装置１２ａは、その左右に配されているゲート１３に遊技球が進入したことに起因する抽選で当たりになると開放される。
【００２１】
また、庇部材１６とステージ１７とに挟まれた主表示領域２０には、遊技釘１８が打ち付けられておらず、他の装置類も配されていない。この主表示領域２０は、遊技盤９の背後に配された表示装置による図柄の変動表示や、背景画像やキャラクタ等の画像の表示を良好に視認させるための領域である。
【００２２】
また、図２に示すように、盤面窓枠２の回動側端部の裏面側には、薄膜状且つ帯状の透明な導電性フィルム２１が取り付けられている。そして、導電性フィルム２１は、閉鎖中の盤面窓枠２と当該パチンコ機１の盤面窓枠２と対向する部位との間に差し入れられて接触した針金やピアノ線などの導電性を有する物体（以下導電性物体）を検知するための物体センサの検出接点として機能する。なお、本実施形態では、導電性フィルム２１として、ＩＴＯ透明導電性フィルムを用いている。そして、導電性フィルム２１に導電性物体が触れたら、図示しないブザーが警報を発するようになっている。
【００２３】
なお、パチンコ機１には、これらの他にさまざまな公知の要素が備えられているが、それらは従来技術に従っているので説明を省略する。
［２．実施形態の効果］
（１）このように本実施形態のパチンコ機１によれば、導電性フィルム２１が、閉鎖中の盤面窓枠２と当該パチンコ機１の盤面窓枠２と対向する部位との間に差し入れられて接触した針金やピアノ線などの導電性を有する物体を検知するための物体センサの検出接点として機能するので、上述のような物体が検知されるのは十分な動的荷重が付与された場合に限定されず、物体検知の確実性を高めることができる。
【００２４】
（２）また、本実施形態のパチンコ機１によれば、導電性フィルム２１が、閉鎖中の盤面窓枠２と当該パチンコ機１の盤面窓枠２と対向する部位との間に配置されており、この閉鎖中の盤面窓枠２と当該パチンコ機１の盤面窓枠２と対向する部位との間から差し入れられた導電性物体を早い段階（当該パチンコ機１の内部に侵入する前）で検知することができるので好適である。
【００２５】
（３）また、本実施形態のパチンコ機１によれば、導電性フィルム２１が透明であるために目立たず、当該パチンコ機１の見映えが損なわれない。
（４）また、本実施形態のパチンコ機１によれば、導電性フィルム２１が薄膜状であるためにこの点でも目立たず、当該パチンコ機１の見映えが損なわれない。
【００２６】
［３．他の実施形態］
以上、本発明の一実施形態について説明したが、本発明は上記実施形態に限定されるものではなく、以下のような様々な態様にて実施することが可能である。
【００２７】
（１）上記実施形態では、薄膜状且つ帯状の導電性フィルム２１を盤面窓枠２の回動側端部の裏面側に取り付けているが、これには限られず、盤面窓枠２の回動側端部の裏面側に対して金属蒸着または金属鍍金を施すことで導電性フィルム２１を形成するようにしてもよい。このように構成すれば、導電性フィルム２１を凹凸のある部分に設置するのに好適である。
【００２８】
（２）上記実施形態では、導電性フィルム２１が透明であるが、これには限られず、導電性フィルム２１を不透明にしてもよい。
（３）また、導電性フィルム２１が配置されるのは閉鎖中の盤面窓枠２と当該パチンコ機１の盤面窓枠２と対向する部位との間であればよく、例えば導電性フィルム２１を盤面窓枠２の裏面の上縁や下縁、盤面窓枠２の回動側端部の側面、盤面窓枠２の裏面の他の部位などに取り付けても良いし、これら盤面窓枠２側の取り付け位置に対向する当該パチンコ機１側の部位に取り付けてもよい。
【００２９】
（４）また、導電性フィルム２１に導電性物体が触れたら、当該パチンコ機１に対して不正が行われている旨を示す信号を、遊技機設置島を介する有線方式や無線方式にてホール側に送信するようにしてもよい。
【符号の説明】
【００３０】
１…パチンコ機、２…盤面窓枠、２ａ…上皿、２ｂ…下皿、２ｃ…発射ハンドル、３…外枠、５ａ，５ｂ…ヒンジ、７…窓、７ａ…ガラス板、８…電飾、９…遊技盤、１０，１１…ガイドレール、１２…複合入賞装置、１２ａ…可変入賞装置、１２ｂ…始動入賞口、１３…ゲート、１４…大入賞口、１５…普通入賞口、１６…庇部材、１７…ステージ、１８…遊技釘、１９…風車、２０…主表示領域、２１…導電性フィルム
【図１】
2014050580.tif 000003
【図２】
2014050580.tif 000004